(57)【要約】【課題】従来にはない趣向性に富み、かつ、容易にキャッチから抜け落ちないピアスポストを備えた装身具用ピアスを提供する。【解決手段】シリコン製キャッチ５に挿入されるピアスポスト４を、ストレートとすることなく、ピアスポスト４の頭部を拡径頭部９とするとともに、シリコン製キャッチ５の外周に、金属バネ６を嵌着した構造とする。これに加えて、さらにシリコン製キャッチ５をさまざまな色に着色して趣向性の高いものする。【選択図】図1
2011056035.tif 000002
【特許請求の範囲】
【請求項１】
一端に、宝石を固定するための石枠、他端に、キャッチに挿通されるピアスポストと、該ピアスポストを挿入するための挿通孔を有し、外周に金属バネを嵌着させた樹脂製キャッチとから成ることを特徴とする装身具用ピアス。
【請求項２】
一端に、宝石を固定するための石枠、他端に、キャッチに挿通される拡径頭部、扁平化頭部、または、拡径扁平化頭部を形成したピアスポストと、該ピアスポストを挿入するための挿通孔を有する樹脂製キャッチとから成ることを特徴とする請求項１に記載の装身具用ピアス。
【請求項３】
一端に、宝石を固定するための石枠、他端に、キャッチに挿通される拡径頭部を形成したピアスポストと、該ピアスポストを挿入するための挿通孔を有し、外周に金属バネを嵌着させた樹脂製キャッチとから成ることを特徴とする請求項１に記載の装身具用ピアス。
【請求項４】
一端に、宝石を固定するための石枠、他端に、キャッチに挿通される拡径頭部、扁平化頭部、または、拡径扁平化頭部を形成したピアスポストと、該ピアスポストを挿入するための挿通孔を有し、外周に金属バネを嵌着させた樹脂製キャッチとから成ることを特徴とする請求項１に記載の装身具用ピアス。
【請求項５】
前記樹脂製キャッチを着色したことを特徴とする請求項１から４のいずれかに記載の装身具用ピアス。
【発明の詳細な説明】
【技術分野】
【０００１】
本発明は、ピアス用キャッチ及びピアスポストを改良した装身具用ピアスに関するものである。
【背景技術】
【０００２】
従来のピアス用シリコン製キャッチを図７に示す。このキャッチ１は、無色で趣向に乏しかった。また、このキャッチ１は、シリコンゴム製で、単に中心部に挿通孔２が形成されているのみであるため、そのシリコンゴムが劣化したり、ネイルアートで使用する除光液が付着すると、直ぐにピアスポストからシリコン製キャッチが抜けてしまい、シリコン製キャッチを紛失したり、高価な宝石を無くすことが多かった。
【０００３】
さらに、従来のポストは、例えば直径が０．８ｍｍφ程度で径が極端に細くかつ全体的に太さが同一で、いわゆるストレートに形成されていたため、シリコン製キャッチ１がポストから抜けやすかった。
【先行技術文献】
【特許文献】
【０００４】
【特許文献１】特開２００１−１７２１２公報
【発明の概要】
【発明が解決しようとする課題】
【０００５】
しかしながら、従来の技術には概略以下のような難点がある。
・  ポスト全体的がストレートに形成されているために、シリコンキャッチから抜けやすかった。
・  従来技術のシリコン製キャッチは、無色のままであり趣向に乏しかった。
【課題を解決するための手段】
【０００６】
請求項１に記載の本発明は、一端に、宝石を固定するための石枠、他端に、キャッチに挿通されるピアスポストと、該ピアスポストを挿入するための挿通孔を有し、外周に金属バネを嵌着させた樹脂製キャッチとから成る装身具用ピアスである。
また、一端に、宝石を固定するための石枠、他端に、キャッチに挿通される拡径頭部、扁平化頭部、または、拡径扁平化頭部を形成したピアスポストと、該ピアスポストを挿入するための挿通孔を有する樹脂製キャッチとから成る装身具用ピアスである。
また、一端に、宝石を固定するための石枠、他端に、キャッチに挿通される拡径頭部を形成したピアスポストと、該ピアスポストを挿入するための挿通孔を有し、外周に金属バネを嵌着させた樹脂製キャッチとから成る装身具用ピアスである。
また、一端に、宝石を固定するための石枠、他端に、キャッチに挿通される拡径頭部、扁平化頭部、または、拡径扁平化頭部を形成したピアスポストと、該ピアスポストを挿入するための挿通孔を有し、外周に金属バネを嵌着させた樹脂製キャッチとから成る装身具用ピアスである。
また、前記樹脂製キャッチを着色したことを特徴とする装身具用ピアスである。
【０００７】
本発明は、上記のような課題を解決するためになされたもので、キャッチに挿入されるピアスポストをストレートとすることなく、ピアスポストの頭部を拡径頭部とするとともに、キャッチの外周に樹脂とともに、金属バネを嵌着したことを特徴とするものである。さらにキャッチを着色して趣向のあるものとしたことを特徴とするものである。
【発明の効果】
【０００８】
本発明は、上記のように構成したので、以下のような効果を奏する。
・  本発明におけるピアスポストには、必要に応じて一端に拡径頭部が形成させる。また、扁平化させることにより、キャッチから抜けにくくすることもできる。
・  当該キャッチの外周に金属バネが嵌着させたので、一層抜けにくくすることができる。
・  樹脂部の内部に切れ目を入れることのより、さらに抜けにくくすることができる。なお、この切れ目は、１個、またはそれ以上とし、奇数個数であることが好ましい。製造の容易性と効果を考慮すると、3個、または5個が好ましく、3個が最適である。ピアスポストを扁平化ではなく、拡径頭にしている場合は偶数個、例えば2個、または4個が最適である。
・  キャッチの樹脂部分は、無色、あるいは、様々な着色を施す。着色を施すことによりきわめて趣向に富んだ装身具となる。
・  樹脂は、シリコン、ゴム、アクリル系等を用いるが、シリコンが最適である。
・  金属バネにはさまざまな金属、合金性を用いることができる。チタン、またはチタン合金、を用いることにより、優れたバネ特性と、熱処理によるさまざまな着色性を与えることができる。ステンレス鋼の場合も熱処理によるさまざまな着色性を与えることができる。
【図面の簡単な説明】
【０００９】
【図１】本発明の一実施例を示し、（A）は、キャッチ及とピアスポストを組み合わせてピアスを構成した状態の正面図、（B）は、上記（A）の左側面図である。この図においては、端部の径を拡大、扁平化させている。ピアスの軸の径は０．６５〜０・８ｍｍ程度である。
【図２】従来のピアスポストを示し、（A）は、その正面図、（B）は、同（A）の左側面図である。
【図３】本発明に使用するピアスポストを示し、（A）は、その正面図、（B）は、その右側面図、（C）は、その左側面図である。この図においては、端部の径を拡大、扁平化させている。
【図４】本発明に使用する金属バネ付キャッチの組立図を示し、（A）は、その正面図、（B）は、断面図、（C）は側面図である。
【図５】本発明の装身具用ピアスに使用する金属バネを示し、（A）は、その正面図、（B）は、その側面図である。
【図６】本発明のキャッチのみを示し、（A）は、その正面図、（B）は、その側面図である。この図に示したキャッチは、内径近傍には切れ目を入れていない。
【図７】従来のピアス用キャッチを示し、（A）は、その側面図（B）は、その正面図である。
【図８】本発明のピアスを示し、（A）は、その正面図、（B）は、キャッチの側面図である。キャッチの樹脂部分に切れ目（本図の場合は３ヶ所）を設けている。
【図９】本発明のキャッチのみを示し、（A）は、その正面図、（B）は、その側面図である。キャッチの樹脂部分に切れ目（本図の場合は３ヶ所）を設けている。切れ目はポストが挿入されると広がるが、挿入していない状態では閉じている。図は開いた状態を示している。
【図１０】本発明のキャッチのみを示し、（A）は、その正面図、（B）はその断面図、（Ｃ）は、その側面図である。キャッチの樹脂部分に切れ目（本図の場合は３ヶ所）を設けている。この図に示した例は内穴の端部に部を設けて、挿入を容易にする工夫をしている。
【実施例】
【００１０】
以下、本発明の実施例を、図を参照して詳細に説明する。
図1は、本発明の装身具用ピアスの構成を示す組立図である。（A）は、キャッチ及とピアスポストを組み合わせてピアスを構成した状態の正面図、（B）は、上記（A）の左側面図である。この装身具用ピアス３は、ピアスポスト４と、このピアスポスト４に挿通されるキャッチ５の樹脂部分と、このキャッチ６の外周に嵌着される金属バネ６とから成る。この図においては、端部の径を拡大、扁平化させているが、単に拡大、または、扁平化させるだけでもよい。ピアスの軸の径は０．６５〜０・８ｍｍ程度である。この金属バネ６には間欠部６aが形成されている。
【００１１】
上記ピアスポスト４の一端には石枠７が形成され、この石枠７の爪部７aにより宝石８が固定される構造となっている。
一方、上記ピアスポスト４の他端には押し潰した扁平の拡径頭部９が形成され、例えば上記ピアスポスト４の中心部近傍の直径をｄ１、拡径頭部９の直径をｄ２とすると、ｄ１＝０．８ｍｍφ、ｄ２＝０．８５ｍｍφ程度となっている。扁平化、拡径方法は限定する必要はないが、通常の金属の加工に用いる方法（例えば冷間での鍛造）が実用的に優れている。
【００１２】
上記キャッチ５の中心部の外周には溝１０が形成され、この溝１０に金属バネ６が嵌着される構成となっている。また、樹脂部分には挿通孔１１が形成されており、この挿通孔１１に本発明になるピアスポスト４が挿通されるようになっている。樹脂部分のピアスポスト４に接する側に切れ目を入れることにより、さらに抜けにくくすることができるが、この切れ目は樹脂を成型後に入れることも可能であるが、成型時にことも可能である。後者の場合は製造工程を省略できる。
シリコンゴムを用いて一部が融着しないようにして、製造する場合はゲル状のシリコンゴムを型に入れて成型するが、中央部のポスト（キャッチに穴を形成させるための）に方形のヒレを付けたものを用いる。ヒレの寸法は厚さ、０．００２〜０．００５mm、高さ（幅）は０．２〜０．３ｍｍ、長さは５〜８ｍｍ程度である。５〜８ｍｍの辺でポストと一体化している。成型温度は約３００℃である。
【００１３】
以上のようにして製造した樹脂部分に金属バネを装着する。金属バネは縮径させて装着する。金属バネの直径は、０．６〜１．２φ、０．８φ程度が最適である。なお、金属バネは方形等のさまざまな断面形状のものも、使用加工である。チタン、またはチタン合金、を用いることにより、優れたバネ特性と、熱処理によるさまざまな着色性を与えることができる。ステンレス鋼の場合も熱処理によるさまざまな着色性を与えることができる。
【００１４】
キャッチ５には、必要に応じて、任意の色または模様を付与することにより、趣向のあるものとなる。
【００１５】
上記のように構成の装身具用ピアスにおいて、被装着者は宝石８を備えたピアス製キャッチ４を耳たぶの穴にピアスポスト４を挿通した後、耳たぶの裏側に、予め金属バネを装着したキャッチ５を宛がう。
次いで、上記キャッチ５の中心部の挿通孔１１に、キャッチ及び金属バネ６の弾性に抗してピアスポスト４の拡大頭部９を押し込む。
これによりピアスポスト４がキャッチ５から容易に抜け落ちにくくなり、高価な装身具の紛失等を防ぐことができる。
【符号の説明】
【００１６】
１    従来のポスト
２    挿通孔
３    本発明のキャッチ
４    本発明のポスト
５    キャッチの樹脂部分
６    キャッチの金属バネ
７    石枠
７a   爪部
８    宝石
９    拡径頭部
１０  溝
１１  挿通孔
１２  キャッチの樹脂部分に入れた切れ込み
【図１】
2011056035.tif 000003
【図２】
2011056035.tif 000004
【図３】
2011056035.tif 000005
【図４】
2011056035.tif 000006
【図５】
2011056035.tif 000007
【図６】
2011056035.tif 000008
【図７】
2011056035.tif 000009
【図８】
2011056035.tif 000010
【図９】
2011056035.tif 000011
【図１０】
2011056035.tif 000012